(57)【要約】【課題】空気調和機のフィルターに付着した塵埃を、効率よく、確実に除去できるための清掃装置を提供すること。【解決手段】本体に設けられた吸込口と吹出口を結ぶ空気通路に、除塵用のエアフィルターを配置してなる空気調和機において、前記エアフィルターに付着した塵埃を除去する手段として、基台とブラシ片を有する除塵体が形成されてあり、前記ブラシ片は、先細り形状としたことにより、前記ブラシ片の先端部が前記エアフィルターの網目にくい込むように接し、かつ根元部が先端部に比べて太いので、腰のある前記除塵体が形成され、前記エアフィルターに付着した塵埃を、効率よく、確実に除去できる。【選択図】      図１
2007271172.tif 000002
【特許請求の範囲】
【請求項１】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先細り形状としたことを特徴とする、空気調和機の清掃装置。
【請求項２】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部が略球形状としたことを特徴とする、空気調和機の清掃装置。
【請求項３】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部が少なくとも２つ以上に細分割したことを特徴とする、空気調和機の清掃装置。
【請求項４】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が前記基台に対して傾斜角度を有していることを特徴とする、空気調和機の清掃装置。
【請求項５】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、根元部から先端部にかけて波形状を有していることを特徴とする、空気調和機の清掃装置。
【請求項６】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部がループ状に形成されていることを特徴とする、空気調和機の清掃装置。
【請求項７】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、長手方向の根元部から先端部にかけて3本以上の稜線が形成されていることを特徴とする、空気調和機の清掃装置。
【請求項８】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、導電糸を有していることを特徴とする、請求項１〜７に記載の空気調和機の清掃装置。
【請求項９】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、撚り線、あるいは導電糸入りの撚り線にて形成されていることを特徴とする、空気調和機の清掃装置。
【請求項１０】
請求項１〜９記載のうち、何れかに記載の清掃装置を有する、空気調和機。
【発明の詳細な説明】
【技術分野】
【０００１】
本発明は、エアコンディショナーや送風機、加湿器、除湿機、換気扇、あるいは空気清浄機等の空気調和機に配置されたエアフィルターの清掃装置及び、それを用いた空気調和機に関するものである。
【背景技術】
【０００２】
従来の空気調和機には、吸込口と熱交換器との間に、空気調和機本体内部への塵埃侵入を防ぐためにフィルターが配置されており、空気調和機の運転に伴い吸込口から空気と共に侵入する塵埃を捉える機能を有している。このため、フィルターには捉えた塵埃が徐々に付着するとともに、目が徐々に詰まってしまい風量を低下させてしまうので、空気調和機本体から着脱可能に構成され、定期的にフィルター表面を電気掃除機等で吸引したり、洗浄したりしなければならなかった。
【０００３】
これに対しエアフィルターの上流側表面に沿って移動することができる吸引口を有する吸引ノズルと、この吸引ノズルに連結された吸引装置を空気調和機本体に設けて、吸引口からエアフィルター表面に付着した塵埃を吸引することで、エアフィルターを取り外すことなくエアフィルターの自動清掃が行える構造が考案されている（例えば、特許文献１参照）。
【０００４】
また、空気調和機本体内に、フィルターを本体キャビネットの内外に向けて、往復的に移動させるスライド手段と、フィルターの移動経路に沿ってフィルターと接触するように配置されたフィルター清掃部を設けて、フィルター清掃内部に設けられた清掃ブラシでフィルターを両側から挟みこむような構造とし、フィルターをスライドさせることによって清掃ブラシでフィルター両面を清掃することができ、且つ、フィルター清掃部内に溜まった塵埃を、フィルター清掃部を開閉させることで簡単に回収できる、という構造も考案されている（例えば、特許文献２参照）。
【特許文献１】特開２００５−１４０４０５号公報
【特許文献２】特開２００４−３４７２４５号公報
【発明の開示】
【発明が解決しようとする課題】
【０００５】
しかしながら、上記特許文献１に開示されたような従来の空気調和機においては、吸引口の開閉面積を絞ることで風量を落として、吸引圧力を高めている。このような吸引ノズルで塵埃を除去しようとすると、エアフィルター表面に浮いたような状態で乗っている綿埃等は容易に吸引できるが、吸引力のみでは、エアフィルターの網目に絡んだ塵埃や、油分を含む塵埃等を、清掃ブラシのような掻き出して剥離させることはできず、エアフィルターにこびりついた塵埃を確実に除去することは非常に困難であった。
【０００６】
また、上記特許文献２に開示されたような従来の空気調和機においては、清掃ブラシでエアフィルターを挟み込んでいるため、エアフィルター両面の塵埃を同時に清掃できるが、エアフィルターの表面を一定の緩やかな速度で移動する清掃ブラシでは、エアフィルターの表面をなでるだけで、擦る効果は少なく、エアフィルター表面に浮いたような状態で乗っている綿埃等は除去できるが、エアフィルターの網目に絡んだ塵埃や、油分を含む塵埃等を擦り取るように、完全に剥離させるまで掻き出すことはできず、エアフィルターにこびりついた塵埃を確実に除去することは非常に困難であった。また、従来の清掃ブラシのブラシ毛先端は、髭剃り跡の毛の先端のような断面をしており、エアフィルターの網目に入り込みにくいという欠点を有していた。
【０００７】
本発明は、上記従来の課題を解決するためのものであり、空気調和機のエアフィルターに付着した塵埃を、効率よく、確実に除去でき、長期間に亘ってエアフィルターの目詰まりのない状態で使用することができる空気調和機の清掃装置及び、空気調和機を提供することを目的とする。
【課題を解決するための手段】
【０００８】
前記従来の課題を解決するために、本発明では、本体に設けられた吸込口と吹出口を結ぶ空気通路に、除塵用のエアフィルターを配置してなるエアコンディショナーや送風機、加湿器、除湿機、換気扇、あるいは空気清浄機等の空気調和機において、前記エアフィルターに付着した塵埃を除去する手段として、基台とブラシ片を有する除塵体が形成されてあり、前記ブラシ片は、先細り形状としたことにより、前記ブラシ片の先端部が前記エアフィルターの網目にくい込むように接し、かつ根元部が先端部に比べて太いので、腰のある前記除塵体が形成され、前記エアフィルターに付着した塵埃を、効率よく、確実に除去できる。
【発明の効果】
【０００９】
本発明の清掃装置は、空気調和機のエアフィルターに付着した塵埃を、効率よく、確実に除去できる。従って、清潔で、長期間に亘って前記エアフィルターの目詰まりのない状態で使用することができるため、空気調和機の性能も維持され、且つ、前記エアフィルターを取り外して塵埃の清掃を行う必要もなくなる。
【発明を実施するための最良の形態】
【００１０】
第１の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先細り形状としたので、前記エアフィルターの表面に柔らかく接触して前記エアフィルターの表面を効率よく拭き取る。また前記エアフィルターの網目にくい込むように接し、かつ根元部が先端部に比べて太いので、腰のある前記除塵体が形成され、前記エアフィルターに付着した塵埃を、効率よく掻きとることができる。また、前記エアフィルターの網目の破損を少なくするとともに、前記空気調和機の表面に傷をつけずに清掃ができる。
【００１１】
第２の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部が略球形状としたので、前記エアフィルターに付着した塵埃の清掃の際に、前記エアフィルターの網目の破損を少なくすることができる。また前記ブラシ片の先端部を、前記エアフィルターの網目よりも、小さな略球状にすれば、前記エアフィルターの網目にくい込み、前記エアフィルターの網目から外れる際に、前記エアフィルターに振動を与え、前記エアフィルターに付着した塵埃を、より効率よく掻き落とすことができる。
【００１２】
第３の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部が少なくとも２つ以上に細分割したので、前記エアフィルターの表面を効率よく拭き取る。また前記ブラシ片の先端部が、前記エアフィルターの網目にくい込み、かつ根元部が先端部に比べて太いので、腰のある除塵体が形成され、エアフィルターに付着した塵埃を効率よく掻きとることができる。また、前記エアフィルターの網目の破損を少なくするとともに、前記空気調和機の表面に傷をつけずに清掃ができる。
【００１３】
第４の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が前記基台に対して傾斜角度を有しているので、前記エアフィルターの表面に強い力で接触し、または前記エアフィルターの網目にくい込み、前記フィルターに付着した塵埃を効率よく掻きとることができる。また、反対に戻る際には柔らかく接触するので、前記エアフィルターの表面を効率よく拭き取ることができる。
【００１４】
第５の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、根元部から先端部にかけて波形状を有しているので、前記ブラシ片に弾力が増加し、前記エアフィルターの表面、及び網目に効率よく接触し、前記エアフィルターに付着した塵埃を効率よく掻きとることができる。また、前記ブラシ片は前記エアフィルターに接触した時の衝撃を吸収するため、前記エアフィルターの表面に傷をつけることなく、効率よく前記エアフィルターに付着した塵埃を除去できる。
【００１５】
第６の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部がループ状に形成されているので、前記エアフィルターの表面を強く擦るように接触し、前記エアフィルターに付着した塵埃を効率よく拭き取ることができる。かつ、前記エアフィルターの網目の破損を少なくするとともに、前記空気調和機の表面に傷をつけずに清掃ができる。
【００１６】
第７の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、長手方向の根元部から先端部にかけて3本以上の稜線が形成されているので、ブラシ片の角部が前記エアフィルターの網目を引っ掻くことにより、前記エアフィルターに付着した塵埃を効率よく掻きとることができる。
【００１７】
第８の発明は、第１〜第７の発明における除塵体のブラシ片は、導電子を有しているので、エアフィルターの表面に接触する際に、前記エアフィルターの表面に帯電した静電気を除去するとともに、塵埃の除去もできる。
【００１８】
第９の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、撚り線、あるいは導電糸入り撚り線にて形成されているので、腰の強いブラシ片が形成され、また前記ブラシ片の凹凸部が前記エアフィルターの表面、及び網目を擦る際に振動を起こして、前記エアフィルターに付着した塵埃を効率よく掻きとることができる。また、前記ブラシ片に弾力が増加し、前記エアフィルターの表面、及び網目に効率よく接触し、前記エアフィルターに付着した塵埃を効率よく掻きとることができる。また、前記ブラシ片は前記エアフィルターに接触した時の衝撃を吸収するため、前記エアフィルターの表面に傷をつけることなく、効率よく前記エアフィルターに付着した塵埃を除去できる。また前記ブラシ片が導電糸入りの撚り線の場合は、前記エアフィルターの表面に帯電した静電気を除去するとともに、塵埃の除去もできる。
【００１９】
第１０の発明は、第１〜９の発明のうち、何れかに記載の清掃装置を有しているので、エアフィルターの目詰まりが起こらず、常に安定した風量を確保でき、運転効率も良い、空気調和機を提供することができる。
【００２０】
以下、本発明の実施の形態について図面を参照しながら説明する。なお、この実施例により本発明が限定されるものではない。
【実施例１】
【００２１】
本発明の実施例１における空気調和機の清掃装置について、図１〜６を用いて説明する。
図１は本発明の空気調和機本体１の要部断面図である。１は空気調和機本体、２は空気調和機本体１の前面から上面にかけて形成された吸込口、３は空気調和機本体１の下部に形成された吹出口である。吸込口２と吹出口３を結ぶ空気通路には空気中の塵埃を取り除くフィルター５と送風ファン６、熱交換器４が配置されている。フィルター５の塵埃を除去する手段として、除塵体７が形成されてある。
【００２２】
図２の（Ａ）は、基台９とブラシ片１０を有する除塵体８の斜視図である。除塵体８は、ブラシ片１９を基台９に植毛方法によって固定されて形成されてある。（Ｂ）は、除塵体１１の斜視図である。除塵体１１は、ブラシ片１３を２本の芯線による基台１２に挟んで捩られて形成されてある。また、除塵体７は、上記以外の方法で形成されてもかまわない。
【００２３】
図３の（Ａ）〜（Ｇ）は除塵体２１〜２７の正面図である。（Ａ）は、円柱形状の先端部をテーパー状に細くしたブラシ片５１を有する除塵体２１の正面図であり、（Ｂ）は、円柱形状の先端部を斜めに切断したブラシ片５２を有する除塵体２２の正面図である。（Ｃ）は、根元部から先端部にかけてテーパー状に細くした円錐形状のブラシ片５３を有する除塵体２３の正面図である。（Ｄ）は、根元部から先端部にかけてテーパー状に細くした円錐形状の先端部を切断したブラシ片５４を有する除塵体２４の正面図である。（Ｅ）は、円錐形状の先端部をさらにテーパー状に細くしたブラシ片５５を有する除塵体２５の正面図である。（Ｆ）は、円柱形状の中央部から段差を設けて先端部に細い円柱形状を形成されたブラシ片５６を有する除塵体２６の正面図である。（Ｇ）は、円柱形状の先端部に切り欠きを設けたブラシ片５７を有する除塵体２７の正面図である。除塵体２１〜２７は、エアフィルター５の表面に柔らかく接触してエアフィルター５の表面を効率よく拭き取る。またエアフィルター５の網目にくい込むように接し、かつ根元部が先端部に比べ太いので、腰のある除塵体２１〜２７が形成され、エアフィルター５の表面に接触する際は、突き刺さるようにして、塵埃を掻きだすこともできるし、なでるように拭くこともできる。また、エアフィルター５の網目の破損を少なくするとともに、空気調和機本体１の表面に傷をつけずに清掃ができる。
【００２４】
図４の（Ａ）〜（Ｇ）は、除塵体２８〜３４の正面図である。（Ａ）は、円柱形状の先端部を丸くしたブラシ片５８を有する除塵体２８の正面図である。（Ｂ）は円柱形状の先端部を球形状に形成されたブラシ片５９を有する除塵体２９の正面図である。除塵体２８、及び２９は、エアフィルター５に接触する先端部を球形状としたので、エアフィルター５に付着した塵埃の清掃の際に、エアフィルター５の網目の破損を少なくすることができる。またブラシ片５９の先端部を、エアフィルター５の網目よりも、小さな略球状にすれば、エアフィルター５の網目にくい込み、エアフィルター５の網目から外れる際に、エアフィルター５に振動を与え、エアフィルター５に付着した塵埃を、より効率よく掻き落とすことができる。
【００２５】
図４において、（Ｃ）は、円柱形状の先端部が２つに割れたブラシ片６０を有する除塵体３０の正面図である。（Ｄ）は、円柱形状の先端部が細かく分割されたブラシ片６１を有する除塵体３１の断面図である。除塵体３０、及び３１は、エアフィルター５に接触するブラシ片６０、及び６１の先端部を少なくとも２つ以上に細分割したので、エアフィルター５の表面を効率よく拭き取る。またブラシ片６０、及び６１の先端部が、エアフィルター５の網目にくい込み、かつ根元部が先端部に比べて太いので、腰のある除塵体３０、及び３１が形成され、エアフィルター５に付着した塵埃を効率よく掻きとることができる。また、エアフィルター５の網目の破損を少なくするとともに、空気調和機本体１の表面に傷をつけずに清掃ができる。
【００２６】
図４において、（Ｅ）は、円柱形状の根元部から傾斜したブラシ片６２を有する除塵体３２の正面図である。（Ｆ）は、円柱形状の中央部から傾斜したブラシ片６３を有する除塵体３３の正面図である。（Ｇ）は、円柱形状の曲線を形成するブラシ片６４を有する除塵体３４の正面図である。除塵体３２〜３４がエアフィルター５の表面を移動する際に、ブラシ片６２〜６４の先端部が先行する場合は、エアフィルター５の網目にくい込むように接するので、エアフィルター５に付着した塵埃を、効率よく、確実に除去できる。また、反対に移動する場合は、エアフィルター５の表面をなでるように接するため、拭き、掃き効果がある。
【００２７】
図５（Ａ）〜（Ｆ）は、除塵体３５〜３８の正面図、及び除塵体３９〜４０の斜視図である。（Ａ）は、円柱形状の波形状のブラシ片６５を有する除塵体３５の正面図である。（Ｂ）は、円柱形状のループ状の両端が基台に固定されたブラシ片６６を有する除塵体３６の正面図である。（Ｃ）は、円柱形状のループ状の１端が基台に固定されたブラシ片６７を有する除塵体３７の正面図である。（Ｄ）は、円柱形状の導電糸のブラシ片６８を有する除塵体３８の正面図である。（Ｅ）は、円柱形状の撚り線で形成されたブラシ片６９を有する除塵体３９の斜視図である。（Ｆ）は、円柱形状の撚り線で形成されたブラシ片７０に導電糸７１を撚って巻きつけたブラシ片７２を有する除塵体４０の斜視図である。
【００２８】
除塵体３５は、ブラシ片６５の根元部から先端部にかけて波形状を有しているので、ブラシ片６５に弾力が増加し、エアフィルター５の表面、及び網目に効率よく接触し、エアフィルター５に付着した塵埃を効率よく掻きとることができる。またブラシ片６５はエアフィルター５に接触した時の衝撃を吸収するため、エアフィルター５の表面に傷をつけることなく、効率よくエアフィルター５に付着した塵埃を除去できる。
【００２９】
除塵体３６、及び３７は、ブラシ片３６、及び３７の先端部がループ状に形成されているので、エアフィルター５の表面に強く擦るように接触し、エアフィルター５に付着した塵埃を効率よく拭き取ることができる。またエアフィルター５の網目の破損を少なくするとともに、空気調和機本体１の表面に傷をつけずに清掃ができる。
【００３０】
除塵体３８は、ブラシ片６８が導電糸で形成されているので、エアフィルター５の表面に接触する際に、ブラシ片６８に通電するので、エアフィルター５に帯電した静電気を除去するとともに、除塵体３８自体の除電を行うので、エアフィルター５及び除塵体３８の塵埃の除去もできる。
【００３１】
除塵体３９は、円柱形状の撚り線にて形成されているので、腰の強いブラシ片６９が形成される。またブラシ片６９の凹凸部がエアフィルター５の表面、及び網目を擦る際に振動を起こすので、エアフィルター５に付着した塵埃を効率よく掻きとることができる。また、撚り線によるブラシ片６９は弾力が増加し、エアフィルター５の表面、及び網目に効率よく接触し、エアフィルター５に付着した塵埃を効率よく掻きとることができる。また、ブラシ片６９はエアフィルター５に接触した時の衝撃を吸収するため、エアフィルター５の表面に傷をつけることなく、効率よくエアフィルター５に付着した塵埃を除去できる。除塵体４０は、円柱形状の撚り線で形成されたブラシ片７０に導電糸７１を撚って巻きつけたブラシ片７２を有しているので、エアフィルター５の表面に接触する際に、ブラシ片７２に通電するので、エアフィルター５に帯電した静電気を除去するとともに、除塵体３８自体の除電を行うので、エアフィルター５及び除塵体３８の塵埃の除去もできる。
【００３２】
図６の（Ａ）は除塵体４１の正面図である。（Ｂ）〜（Ｄ）は、ブラシ片７４〜７６の正面図である。除塵体４１は、長手方向の根元部から先端部にかけて3本以上の稜線が形成されているブラシ片７３を有している。（Ｂ）はブラシ片７４の断面形状が3角形であり、（Ｃ）はブラシ片７５の断面形状が4角形であり、（Ｄ）はブラシ片７６の断面形状が星型である。ブラシ片７４〜７６の稜線の角部が、エアフィルター５の網目を引っ掻くことにより、エアフィルター５に付着した塵埃を効率よく掻きとることができる。特に、ブラシ片７６の場合においては、ブラシ片の間に塵埃を捕集でき、エアフィルター５に付着した塵埃を効率よく掻きとることができる。
【実施例２】
【００３３】
上記の実施例１に説明した清掃装置を有するため、性能も維持され、かつ、エアフィルター５を取り外して塵埃の清掃を行う必要もなくなる空気調和機本体１を提供することができる。
【産業上の利用可能性】
【００３４】
以上のように、本発明にかかる空気調和機の清掃装置、及び空気調和機は、エアフィルターの清掃装置として優れた性能を有し、エアコンディショナーや空気清浄機は勿論、エアフィルターを有する機器であれば、そのエアフィルターの清掃装置にも適用できるものである。
【図面の簡単な説明】
【００３５】
【図１】空気調和機の清掃装置
【図２】除塵体の斜視図
【図３】除塵体の正面図
【図４】除塵体の正面図
【図５】除塵体の正面図と斜視図
【図６】除塵体の正面図とブラシ片の断面図
【符号の説明】
【００３６】
１    空気調和機本体
２    吸込口
３    吹出口
４    熱交換器
５    エアフィルター
６    送風ファン
７    除塵体
８    除塵体
９    基台
１０  ブラシ片
１１  除塵体
１２  芯線による基台
１３  ブラシ片
２０  基台
２１〜４１  除塵体
５１〜７０  ブラシ片
７１  導電糸
７２〜７６  ブラシ片
【図１】
2007271172.tif 000003
【図２】
2007271172.tif 000004
【図３】
2007271172.tif 000005
【図４】
2007271172.tif 000006
【図５】
2007271172.tif 000007
【図６】
2007271172.tif 000008